(57)【要約】【課題】光の発散が効率的なレンズシステムを有する照明装置を提供する。【解決手段】照明装置は、光放射の主軸を有する発光ダイオード（ＬＥＤ）を含む。また、照明装置は、ＬＥＤの近傍に配置されたレンズ要素を含む。レンズ要素は、回転軸線を中心とした断面プロファイルの少なくとも部分的な回転によって形作られる幾何学的形状を有する。レンズ要素は、回転軸線がＬＥＤの光放射の主軸と交差するようにＬＥＤに対して配置される。レンズ要素は、ＬＥＤから放射される少なくとも一部の光線を内部全反射させるように機能する。【選択図】図３
2016111008.tif 000002
【特許請求の範囲】
【請求項１】
照明装置（３００）であって、
光放射の主軸（５０８）を有する発光ダイオード（ＬＥＤ）（５０６）、及び
ＬＥＤ（５０６）の近傍に配置されたレンズ要素（３０４）であって、回転軸線（５０４）を中心とした断面プロファイル（５０２）の少なくとも部分的な回転によって形作られる幾何学的形状を有するレンズ要素（３０４）
を備え、
レンズ要素（３０４）が、回転軸線（５０４）がＬＥＤ（５０６）の光放射の主軸（５０８）と交差するようにＬＥＤ（５０６）に対して配置されており、
レンズ要素（３０４）が、ＬＥＤ（５０６）から放射される少なくとも一部の光線を内部全反射させるように機能する照明装置（３００）。
【請求項２】
回転軸線（５０４）が、ＬＥＤ（５０６）の光放射の主軸（５０８）に対して垂直である、請求項１に記載の照明装置（３００）。
【請求項３】
細長い支持部材（３０２）をさらに備え、該細長い支持部材（３０２）上に、ＬＥＤ（５０６）及びレンズ要素（３０４）が取り付けられている、
請求項１に記載の照明装置（３００）。
【請求項４】
ＬＥＤ（５０６）が、第１のＬＥＤ（５０６）であり、
レンズ要素（３０４）が、第１のレンズ要素（３０４）であり、
照明装置（３００）が、
第１のレンズ要素（３０４）に加えて細長い支持部材（３０２）上に取り付けられた複数のレンズ要素（３０４）であって、該レンズ要素（３０４）のすべてが、互いに実質的に同一である複数のレンズ要素（３０４）、及び
第１のＬＥＤ（５０６）に加えて細長い支持部材（３０２）上に取り付けられた複数のＬＥＤ（５０６）であって、該複数のＬＥＤ（５０６）の各々が、複数のレンズ要素（３０４）の各々の占有面積内に配置されている複数のＬＥＤ（５０６）
をさらに備える、
請求項３に記載の照明装置（３００）。
【請求項５】
レンズ要素（３０４）が、その幾何学的形状が、回転軸線（５０４）を中心とした断面プロファイル（５０２）の実質的に１８０°の回転によって形作られるように形成されたものである、請求項１に記載の照明装置（３００）。
【請求項６】
レンズ要素（３０４）が、プラスチックから形成されている、請求項１に記載の照明装置（３００）。
【請求項７】
レンズ要素（３０４）が、射出成形法を用いて形成されている、請求項６に記載の照明装置（３００）。
【請求項８】
ＬＥＤ（５０６）が点灯状態のとき、ＬＥＤ（５０６）によって放射される一部の光線は、反射されずにレンズ要素（３０４）によって屈折され、ＬＥＤ（５０６）によって放射される他の光線は、レンズによって内部反射された後にレンズによって屈折される、
請求項１に記載の照明装置（３００）。
【請求項９】
照明装置（３００）であって、
細長い支持部材（３０２）と、
支持部材（３０２）に沿って取り付けられた複数のＬＥＤ（５０６）（発光ダイオード）であって、該ＬＥＤ（５０６）の各々が、各々の光放射の主軸（５０８）を有する複数のＬＥＤ（５０６）と、
複数のレンズ要素（３０４）であって、各々が、レンズ要素（３０４）の各々がＬＥＤ（５０６）の各々を実質的に囲むような位置で支持部材（３０２）に取り付けられており、レンズ要素（３０４）が、互いに実質的に同一であり、レンズ要素（３０４）の各々が、回転軸線（５０４）を中心とした断面プロファイル（５０２）の少なくとも部分的な回転によって形作られる幾何学的形状を有する複数のレンズ要素（３０４）と
を備え、
レンズ要素（３０４）の各々が、レンズ要素（３０４）の各々の幾何学的形状を形作る回転軸線（５０４）が、レンズ要素（３０４）の各々によって囲まれたＬＥＤ（５０６）の各々の光放射の主軸（５０８）の各々と交差するように、レンズ要素（３０４）の各々によって囲まれたＬＥＤ（５０６）の各々に対して配置されており、レンズ要素（３０４）の各々が、レンズ要素（３０４）の各々によって囲まれたＬＥＤ（５０６）の各々から放射される少なくとも一部の光線を内部全反射するように機能する照明装置（３００）。
【請求項１０】
レンズ要素（３０４）の各々に関して、回転軸線（５０４）が、レンズ要素（３０４）の各々によって囲まれたＬＥＤ（５０６）の各々の光放射の主軸（５０８）の各々に対して垂直である、請求項９に記載の照明装置（３００）。
【請求項１１】
レンズ要素（３０４）の各々が、プラスチックから形成されている、請求項９に記載の照明装置（３００）。
【請求項１２】
複数のレンズ要素（３０４）が、少なくとも６つのレンズ要素（３０４）を含み、
複数のＬＥＤ（５０６）が、少なくとも６つのＬＥＤ（５０６）を含む、
請求項９に記載の照明装置（３００）。
【請求項１３】
支持部材（３０２）が、主面を有し、該主面には、ＬＥＤ（５０６）及びレンズ要素（３０４）が取り付けられており、
レンズ要素（３０４）の幾何学的形状を形作る回転軸線（５０４）が、（ａ）支持部材（３０２）の主面に対して平行に、かつ（ｂ）支持部材（３０２）の縦寸法に対して垂直に配置されている、
請求項９に記載の照明装置（３００）。
【請求項１４】
（ａ）支持部材（３０２）の平面に対して垂直に、（ｂ）支持部材（３０２）の縦寸法の少なくとも十分な部分にわたって延在するように、及び（ｃ）支持部材（３０２）に取り付けられたＬＥＤ（５０６）の方向を向くように支持部材（３０２）に取り付けられた鏡（１００２）
をさらに備える、請求項９に記載の照明装置（３００）。
【請求項１５】
冷蔵庫（９００）であって、
密閉された冷蔵空間（９０４）と、
冷蔵保存される物品を保持するための、冷蔵空間（９０４）内の複数の棚（９０６）と、
棚（９０６）への接近を可能にするための複数の扉（９１２）と、
扉（９１２）の間に差し挟まれた複数の垂直に延在するマリオン（９１４）であって、該マリオン（９１４）の各々が、密閉された冷蔵空間（９０４）に対して内側に面する内面（９１６）を含む複数の垂直に延在するマリオン（９１４）と、
複数の照明装置（３００）であって、各々が、マリオン（９１４）の各々の内面（９１６）に設置された複数の照明装置（３００）と
を備え、
照明装置（３００）の各々が、
マリオン（９１４）の各々に垂直に配置されて取り付けられた細長い支持部材（３０２）と、
支持部材（３０２）に沿って取り付けられた複数のＬＥＤ（５０６）（発光ダイオード）であって、該ＬＥＤ（５０６）の各々が、各々の光放射の主軸（５０８）を有し、ＬＥＤ（５０６）の各々の光放射の主軸（５０８）の各々が、マリオン（９１４）の各々から真っ直ぐに離れる方向に向かって水平に配置されている複数のＬＥＤ（５０６）と、
複数のレンズ要素（３０４）であって、各々が、レンズ要素（３０４）の各々がＬＥＤ（５０６）の各々を実質的に囲むような位置で支持部材（３０２）に取り付けられており、レンズ要素（３０４）が、互いに実質的に同一であり、レンズ要素（３０４）の各々が、回転軸線（５０４）を中心とした断面プロファイル（５０２）の少なくとも部分的な回転によって形作られる幾何学的形状を有する複数のレンズ要素（３０４）と
を含み、
レンズ要素（３０４）の各々が、レンズ要素（３０４）の各々の幾何学的形状を形作る回転軸線（５０４）が、レンズ要素（３０４）の各々によって囲まれたＬＥＤ（５０６）の各々の光放射の主軸（５０８）の各々と交差するように、レンズ要素（３０４）の各々によって囲まれたＬＥＤ（５０６）の各々に対して配置されており、レンズ要素（３０４）の各々が、レンズ要素（３０４）の各々によって囲まれたＬＥＤ（５０６）の各々から放射される少なくとも一部の光線を内部全反射させるように機能する冷蔵庫（９００）。
【請求項１６】
レンズ要素（３０４）の各々に関して、回転軸線（５０４）が、レンズ要素（３０４）の各々によって囲まれたＬＥＤ（５０６）の各々の光放射の主軸（５０８）の各々に対して垂直である、請求項１５に記載の冷蔵庫（９００）。
【請求項１７】
レンズ要素（３０４）の各々が、プラスチックから形成されている、請求項１５に記載の冷蔵庫（９００）。
【請求項１８】
照明装置（３００）の各々が、少なくとも６つのレンズ要素（３０４）を含む、請求項１５に記載の冷蔵庫（９００）。
【請求項１９】
照明装置（３００）の少なくとも１つに関して、支持部材（３０２）の各々が、主面を有し、該主面には、照明装置（３００）の各々のＬＥＤ（５０６）及びレンズ要素（３０４）が取り付けられており、
照明装置（３００）の各々のレンズ要素（３０４）の幾何学的形状を形作る回転軸線（５０４）が、（ａ）支持部材（３０２）の各々の主面と平行に、かつ（ｂ）支持部材（３０２）の各々の縦寸法に対して垂直に配置されている、
請求項１５に記載の冷蔵庫（９００）。
【請求項２０】
冷蔵庫（９００）の前面の隅に配置されたコーナーマリオン（９２０）であって、垂直に延在し、かつ冷蔵庫（９００）の後壁（９０５）を向いた内面（９１６）を有するコーナーマリオン（９２０）、及び
コーナー照明装置（３００ａ）
をさらに備え、コーナー照明装置（３００ａ）が、
コーナーマリオン（９２０）に垂直に配置されて取り付けられた各々の細長い支持部材（３０２）と、
コーナー照明装置（３００ａ）の支持部材（３０２）に沿って取り付けられた複数のＬＥＤ（５０６）（発光ダイオード）であって、該ＬＥＤ（５０６）の各々が、各々の光放射の主軸（５０８）を有し、ＬＥＤ（５０６）の各々の光放射の主軸（５０８）の各々が、コーナーマリオン（９２０）の各々から真っ直ぐに離れる方向に向かって水平に配置されている複数のＬＥＤ（５０６）と、
複数のレンズ要素（３０４）であって、各々が、レンズ要素（３０４）の各々がＬＥＤ（５０６）の各々を実質的に囲むような位置でコーナー照明装置（３００ａ）の支持部材（３０２）に取り付けられており、レンズ要素（３０４）のすべてが、互いに実質的に同一であり、レンズ要素（３０４）の各々が、回転軸線（５０４）を中心とした断面プロファイル（５０２）の少なくとも部分的な回転によって形作られる幾何学的形状を有し、レンズ要素（３０４）の各々が、レンズ要素（３０４）の各々の幾何学的形状を形作る回転軸線（５０４）が、レンズ要素（３０４）の各々によって囲まれたＬＥＤ（５０６）の各々の光放射の主軸（５０８）の各々と交差するように、レンズ要素（３０４）の各々によって囲まれたＬＥＤ（５０６）の各々に対して配置されており、レンズ要素（３０４）の各々が、レンズ要素（３０４）の各々によって囲まれたＬＥＤ（５０６）の各々から放射される少なくとも一部の光線を内部全反射させるように機能する複数のレンズ要素（３０４）と、
（ａ）コーナー照明装置（３００ａ）の支持部材（３０２）の平面に対して垂直に、（ｂ）コーナー照明装置（３００ａ）の支持部材（３０２）の縦寸法の少なくとも十分な部分にわたって延在するように、及び（ｃ）コーナー照明装置（３００ａ）の支持部材（３０２）に取り付けられたＬＥＤ（５０６）の方向を向くようにコーナー照明装置（３００ａ）の支持部材（３０２）に取り付けられた鏡（１００２）と
を備える、請求項１５に記載の冷蔵庫（９００）。
【発明の詳細な説明】
【技術分野】
【０００１】
本発明の実施形態は、照明装置に関する。
【背景技術】
【０００２】
大型の冷蔵ユニットは、ユニット内の棚の中身の適切な照明の提供において特定の課題を有する。ＬＥＤ（発光ダイオード）ベースの照明システムが提案されてきた。
【０００３】
図１は、冷蔵庫用の照明装置のための従来のレンズ要素１００の一部の等角図である。レンズ要素は、細長く、レンズ要素の縦寸法に沿って切断された断面に関して一様な断面プロファイルを有することに留意されたい。実際の取り付けの際、一連のＬＥＤは、レンズ要素１００の基部１０４のスロット１０２内に配置される。
【０００４】
図２は、レンズ要素１００を利用している従来の照明装置の断面図である。図２の図の断面は、レンズ要素１００の縦寸法に対して垂直な平面で切断されたものである。ＬＥＤ２００は、レンズ要素１００の上記したスロット１０２に配置されているものとして示されている。光線追跡線２０２、２０４、２０６、２０８、及び２１０が、図に示されている。これらは、レンズ要素１００の、光の発散効果を示すために提示され得る、無数の光線追跡のほんの一部に過ぎない。例えば、図２に示されている光線追跡のすべては、図の左方向に向かってレンズ要素１００から出射している。右方向に向かってレンズ要素１００から出射する同様の光線追跡が、さらに描かれ得るが、図を簡単にするために省略されている。
【０００５】
レンズ要素１００の、光の発散特性の一部は、光線２０２、２０４、２０６の屈折に起因する。しかしながら、光線２０８、２１０に関して、同じなのは、屈折されて、左方向に向かってレンズ要素１００から出射する前に、最初に内部反射（それぞれ位置２１２、２１４で）されることである。
【０００６】
現在、本発明者らは、従来のレンズシステムよりも均一かつ効率的に光を発散させる、照明器具用のレンズを提供する好機を捉えている。
【先行技術文献】
【特許文献】
【０００７】
【特許文献１】米国特許出願公開第２００９／０１０３３２５号明細書
【発明の概要】
【０００８】
ある実施形態では、照明装置は、光放射の主軸を有するＬＥＤを含む。照明装置は、ＬＥＤの近傍に配置されるレンズ要素をさらに含む。レンズ要素は、回転軸線を中心とした断面プロファイルの少なくとも部分的な回転によって形作られる幾何学的形状を有する。レンズ要素は、回転軸線がＬＥＤの光放射の主軸と交差するようにＬＥＤに対して配置される。レンズ要素は、ＬＥＤから放射される少なくとも一部の光線を内部全反射させるように機能する。
【図面の簡単な説明】
【０００９】
【図１】照明装置用の従来のレンズ要素の一部の等角図である。
【図２】図１に関連して上で言及された装置のような照明装置の断面図である。
【図３】ある実施形態態に係る照明装置の部分斜視図である。
【図４】図３の照明装置に含まれているレンズ要素の等角図である。
【図５】図３の照明装置の一部の切欠図である。
【図６】図３の照明装置の一部の概略平面図である。
【図７】図３の照明装置の態様のブロック図である。
【図８】図３の照明装置の断面図である。
【図９】図３の照明装置などの照明装置を（ある実施形態態に従って）組み込んだ冷蔵庫の概略平面図である。
【図１０】図３の照明装置の別の実施形態の一部の斜視図である。
【発明を実施するための形態】
【００１０】
ある実施形態態は、照明装置のＬＥＤの各々に対して個別のレンズ要素が設けられている照明装置に関する。レンズ要素は、ＬＥＤからの一部の光線を内部全反射（ＴＩＲ）させる、ＬＥＤに関して光の発散の効率を改善する回転された幾何学的形状を有する。照明装置は、冷蔵ユニットでの使用に適し得るものであり、従来の照明装置に比べて改善された効率を実現し得る。
【００１１】
図３は、ある実施形態態に係る照明装置３００の部分斜視図である。照明装置３００は、細長い支持部材３０２を含み、図では、支持部材３０２の一部のみを見ることができる。また、照明装置３００は、支持部材３０２の縦方向に沿って支持部材３０２上に取り付けられた多数のレンズ要素３０４を含む。図３では、レンズ要素３０４のうちの２つのみを見ることができる。照明装置３００のレンズ要素のすべては、互いに実質的に同一であり得る。
【００１２】
図４は、図３に見られるレンズ要素３０４の１つの等角図である。例えば、レンズ要素３０４は、ポリカーボネート又はアクリルなどの透明プラスチックから形成されてもよい。レンズ要素３０４は、例えば、射出成形法によって形成されてもよい。
【００１３】
図５は、照明装置３００の一部の切欠図である。図５の図は、互いに垂直な２つの平面で切り取られている。平面の一方は、図４の線Ａ−Ａによって示されている。この平面は、断面プロファイル５０２を示す。レンズ要素３０４の幾何学的形状（図４及び図５から最も良く把握される）は、図５において参照符号５０４が付与されている回転軸線を中心に断面プロファイル５０２を回転させることによって形作られる。（図５には、問題の断面プロファイルの半分のみが、５０２で示されており、断面プロファイルの全体は、後の図（すなわち、図８）に示されている。）図５の図に関する第２の切り取り平面は、図４の線Ｂ−Ｂによって示されている。回転軸線を中心とした断面プロファイルの回転によって幾何学的形状を形作るという言い方は、円から離れた、円の平面上にある回転軸線を中心に円を回転させることによって三次元図形のトーラスを形成することに概念的に類似していることが理解されるべきである。レンズ要素３０４の場合、断面プロファイルの回転度は部分的である（例えば、この例示的な実施形態では１８０度である）。
【００１４】
再び図５を参照すると、さらにＬＥＤ５０６が、図に示されている。また、ＬＥＤ５０６は、図３に見られる照明装置３００に含まれている（図３では、ＬＥＤは見ることができない）。引き続き図５を参照すると、ＬＥＤ５０６の各々は、各々のレンズ要素３０４の近傍にあり、かつレンズ要素３０４の各々によって実質的に囲まれている。引き続き図５を参照すると、図の左の方のＬＥＤ５０６は、光放射の主軸５０８を有するものとして示されている。（照明装置３００の他のＬＥＤ５０６の各々は、同様の向きの光放射の主軸を有してもよい。）図５の５１０に見られるように、関連するＬＥＤ５０６の光放射の主軸５０８は、関連するレンズ要素３０４の幾何学的形状を形作る回転軸線５０４と交差している（実際は、これに対して垂直であってもよい）。また、ＬＥＤ５０６の各々は、その関連するレンズ要素３０４の占有面積内に配置されている。ある実施形態態における、レンズ要素３０４の各々及びその関連するＬＥＤ５０６の互いの配置は、このようになっている。
【００１５】
図５の５１０に示されている点は、光放射の主軸５０８と回転軸線５０４との交差点と呼ばれ得る（これらの両方については上述されている）。ある実施形態では、ＬＥＤ５０６は、交差点５１０の位置又は交差点５１０の上方に配置されてもよい。他の実施形態では、ＬＥＤ５０６は、交差点５１０の下方に配置されてもよい。
【００１６】
図３及び図５を参照すると、支持部材３０２の面であって、その上にＬＥＤ５０６及びレンズ要素３０４が取り付けられている面は、支持部材３０２の「主面」であると考えられ得る。図５からは、レンズ要素３０４に関する回転軸線（例えば、軸線５０４）は、支持部材３０２の主面と平行に配置されており、支持部材３０２の縦寸法に対して垂直であることが認められる。
【００１７】
図６は、照明装置３００の一部の概略平面図である。ここでも、細長い支持部材３０２は、支持部材３０２の縦寸法に沿って配置された一群の６つのＬＥＤ５０６と共に一部が見られる。ＬＥＤ５０６の各々は、関連するレンズ要素３０４の占有面積内に配置されているものとして示されている。（図６では、レンズ要素３０４は、破線の正方形によって概略的に表されており、レンズ要素の形状のより現実的な説明図は、例えば、図４に見られる。）図６に戻ると、ある実施形態では、関連するレンズ要素を伴う１以上のさらなる群の６つのＬＥＤが、支持部材３０２に沿って、図では見ることができないその部分に配置されてもよい。他の数のＬＥＤから構成される他の群又は集団が、他の実施形態では使用されてもよい。
【００１８】
図７は、照明装置３００の態様のブロック図である。回路基板７０２上に実装されたＬＥＤ５０６の一般的なものが示されている。なお、回路基板７０２もまた、照明装置３００の一部である。（回路基板７０２は、上で言及した支持部材（図７には示されていない）によって支持されてもよい。）ＬＥＤ５０６に関連するレンズ要素３０４は、同様に破線によって概略的に示されている。照明装置は、回路基板７０２及び配線７０６を介して電源７０４に接続されてもよい。
【００１９】
図８は、照明装置３００の断面図であり、その断面は、ＬＥＤ５０６の１つの位置における、支持部材３０２の縦寸法に対して垂直な平面で切断されたものである。レンズ要素３０４の幾何学的形状を形作るための完全な断面プロファイル５０２は、図８に提示されている。また、ＬＥＤ５０６の光放射の主軸５０８が、図８にも示されている。レンズ要素３０４から出射する例示的な光線が、参照符号８０２によって全体的に示されている。参照符号８０２は、描かれている光線のすべてを指し示す仮想輪を示している。図８のページの平面において、反射されずに屈折され得る出射光線の経路もあれば、内部反射後に屈折され得る光線もある。特に、レンズ要素３０４は、ＬＥＤ５０６から放射される少なくとも一部の光線を内部全反射（ＴＩＲ）させるように機能してもよい。レンズ要素３０４の回転された形状の場合、これは、図５の軸線５０４によって示されている方向における、照明装置３００からの配光の改善及び強化に役立ち得る。反射した光線は、一般に、レンズ要素の、反射の位置から遠い位置から放射され得ることが理解されよう。
【００２０】
再び図８を参照すると、レンズ要素３０４の断面プロファイル５０２は、この実施形態では軸線５０８に関して対称であるものとして示されている。しかしながら、他の実施形態では、断面プロファイルの形状は、非対称であってもよい。例えば、ある実施形態では、断面プロファイルの形状は、例えばＬＥＤ５０６からの光の大部分又は全部が、図８の図の場合、左或いは右に向けられるようなものであってもよい。
【００２１】
図８は、冷蔵庫の筐体（図８には具体的に示されていない）内の棚（図８には示されていない）上の物体（前面８０４以外には示されていない）の前面８０４を照明する光線８０２を示している。断面プロファイル５０２の正確な寸法及び外形は、照明される、冷蔵庫の筐体／棚の幾何学的形状に応じて変更されてもよく、特定の用途に適した寸法及び外形が、本明細書に含まれている開示に基づいて必要以上の実験なしに決定され得る。
【００２２】
図９は、ある実施形態態に係る冷蔵庫９００の概略平面図である。冷蔵庫は、筐体９０２を含み、筐体９０２は、密閉された冷蔵空間９０４を画成している。（冷蔵庫９００の冷却要素は、存在するけれども示されていない。）筐体９０２は、後壁９０５並びに側壁９０７及び９０９を含む。
【００２３】
また、冷蔵庫９００は、冷蔵空間９０４内に棚９０６を含む。棚９０６は、冷蔵保存される物品（図示せず）を保持するためのものである。
【００２４】
また、筐体９０２は、棚９０６への接近を可能にするための扉９１２を含む。垂直に延在するマリオン９１４が、扉の間に差し挟まれている。マリオンの各々は、密閉された冷蔵空間９０４に対して内側に面する内面９１６を有する。マリオン９１４の各々の内面９１６は、その上に垂直方向に設置された照明装置３００（上で説明したような）を有する。
【００２５】
また、冷蔵庫９００は、側壁９０７、９０９の前縁の近傍で垂直に延在するコーナーマリオン９２０を含む。（すなわち、コーナーマリオン９２０の各々は、冷蔵庫９００の前面の隅に配置されている。）マリオン９２０の各々は、その内面に垂直方向に設置された照明装置３００ａを有する。
【００２６】
図１０は、上で説明した照明装置３００の代替的な実施形態である照明装置３００ａの１つの部分斜視図である。照明装置３００ａは、照明装置３００の上で説明した要素のすべてを含んでもよい。加えて、照明装置３００ａは、支持部材３０２上に取り付けられた鏡１００２を含む。鏡１００２は、支持部材３０２の平面に対して垂直に配置されてもよく、また、支持部材３０２の縦寸法の少なくとも一部に沿って延在してもよい。鏡１００２の反射面は、支持部材３０２上に取り付けられたＬＥＤ（図１０では見ることができない）及び関連するレンズ要素３０４の方向を向いてもよい。照明装置３００ａは、その鏡の反射面が冷蔵庫９００の隣接する側壁から離れる方向を向くようにコーナーマリオン９２０に設置されてもよい。このように、鏡は、ＬＥＤからの光線を棚９０６に向けて反射してもよい。
【００２７】
本明細書で説明されている実施形態にあるようなレンズ装置を有する照明装置は、冷蔵庫内の物体を照明するためにより効率的かつ均一な配光を実現することができる。エネルギーの節約がもたらされ得る。さらに、本明細書で説明されている実施形態のレンズ装置は、使用する材料を、図１に示されているものなどの従来のレンズよりも少なくすることができ、また、従来のレンズよりもシールが容易であり得る。さらに、本明細書で説明されている実施形態のレンズ装置は、発生する色分解を、従来のレンズよりも低減し得る。
【００２８】
レンズ要素３０４及び／又は一連のＬＥＤに付随する、一列に配置されたレンズ要素を有する照明装置３００について、主に冷蔵庫を照らす用途に関して説明してきた。しかしながら、奥行きのない箱型看板（ｂｏｘ  ｓｉｇｎ）もしくは他の標識（ｓｉｇｎａｇｅ）の用途での使用、又は棚の下の照明のための使用、又はコーニス（ｃｏｒｎｉｃｅ）の照明装置としての使用、又はいわゆる「ウォールウォッシャ」（すなわち、壁の限られた領域又は場所を主に照明するのではなく壁に光を浴びせる照明装置）としての使用を含む他の用途も可能である。
【００２９】
技術的効果は、冷蔵庫の内部を照らすこと及び他の照明用途において、改善された効率を実現することができる。
【００３０】
本明細書で説明されている実施形態は、例証目的のためのものに過ぎない。当業者は、他の実施形態が、上で説明した実施形態の修正及び変更によって実施され得ることを認めることができる。
【符号の説明】
【００３１】
１００、３０４  レンズ要素
１０２  スロット
１０４  基部
２００、５０６  ＬＥＤ
２０２、２０４、２０６、２０８、２１０  光線追跡線
２１２、２１４  位置
３００、３００ａ  照明装置
３０２  支持部材
５０２  断面プロファイル
５０４  回転軸線
５０８  光放射の主軸
５１０  交差点
７０２  回路基板
７０４  電源
７０６  配線
８０２  光線
８０４  前面
９００  冷蔵庫
９０２  筐体
９０４  冷蔵空間
９０５  後壁
９０６  棚
９０７、９０９  側壁
９１２  扉
９１４  マリオン
９１６  内面
９２０  コーナーマリオン
１００２  鏡
【図１】
2016111008.tif 000003
【図２】
2016111008.tif 000004
【図３】
2016111008.tif 000005
【図４】
2016111008.tif 000006
【図５】
2016111008.tif 000007
【図６】
2016111008.tif 000008
【図７】
2016111008.tif 000009
【図８】
2016111008.tif 000010
【図９】
2016111008.tif 000011
【図１０】
2016111008.tif 000012
【外国語明細書】
2016111008000001.pdf